(57)【要約】【課題】課金可能を確認した上で印刷データをサーバに登録する登録モードを備えたプルプリントシステムを提供する。【解決手段】プルプリントサーバ１０は、端末装置３０から本予約モードで登録依頼を受けた場合（Ｐ１）は、該登録依頼を受けた印刷データに係る印刷に対する課金が可能か否かを課金サーバ２０で判断し（Ｐ２）、課金可能な場合はその印刷データをプルプリントサーバに登録すると共に該登録時に課金を行う（Ｐ３）。また、端末装置から仮予約モードで登録依頼を受けた場合は、課金可能か否かを課金サーバで判断し、課金可能な場合はその印刷データをプルプリントサーバに登録すると共に該登録時には課金せず、印刷時に課金する。【選択図】図１
2010218461.tif 000002
【特許請求の範囲】
【請求項１】
端末装置から登録依頼された印刷データを受信して記憶し、該印刷データに係る印刷要求を受けた場合に前記印刷データを印刷装置に送信するプルプリントサーバと、
印刷に係る課金を管理する課金サーバと、
を有し、
端末装置から第１登録モードで登録依頼を受けた場合は、該登録依頼を受けた印刷データに係る印刷に対する課金が可能か否かを前記課金サーバで判断し、課金可能な場合は前記印刷データを前記プルプリントサーバに登録すると共に該登録時に前記課金を行い、
端末装置から第２登録モードで登録依頼を受けた場合は、該登録依頼を受けた印刷データに係る印刷に対する課金が可能か否かを前記課金サーバで判断し、課金可能な場合は前記印刷データを前記プルプリントサーバに登録すると共に該登録時に前記課金を行わない
ことを特徴とするプルプリントシステム。
【請求項２】
前記第２登録モードで登録された印刷データに係る印刷要求を受けたとき、該印刷要求に係る印刷に対する課金が可能か否かを前記課金サーバで判断し、課金可能な場合は前記印刷データを印刷装置に送信すると共に前記課金を行う
ことを特徴とする請求項１に記載のプルプリントシステム。
【請求項３】
前記第２登録モードで登録された印刷データに係る印刷設定の変更指示を受け付ける
ことを特徴とする請求項１または２に記載のプルプリントシステム。
【請求項４】
前記第２登録モードで登録された印刷データに対して前記第１登録モードへの変更指示を受けたとき、前記印刷データに係る印刷に対する課金が可能か否かを前記課金サーバで判断し、課金可能な場合は前記課金を行うと共に前記印刷の実行時には課金しない
ことを特徴とする請求項１乃至３のいずれか一項に記載のプルプリントシステム。
【請求項５】
前記第１登録モードまたは前記第２登録モードで受けた登録依頼に関する前記課金サーバでの判断結果が課金不可の場合は、前記登録依頼に係る印刷データを前記プルプリントサーバに登録しないと共に、登録不可となったことを登録依頼元の端末装置に通知する
ことを特徴とする請求項１乃至４のいずれか一項に記載のプルプリントシステム。
【発明の詳細な説明】
【技術分野】
【０００１】
本発明は、端末装置から登録依頼された印刷データを受信してサーバに記憶しておき、印刷装置からの印刷要求(取り出し要求)に応じて該印刷データをサーバから印刷装置に送信して印刷するプルプリントシステムに係り、特に、印刷に係る課金を管理するプルプリントシステムに関する。
【背景技術】
【０００２】
印刷等に関する使用料金を、ユーザ単位あるいはグループ単位に積算し、上限値を超えた以後の印刷を制限するなどの管理を行う印刷システムが知られている。
【０００３】
たとえば、蓄積中の原稿及び事前に蓄積済みの原稿をファクシミリ送信するための予測通信料金と、課金装置から通知される残金とを比較しつつ蓄積動作を行い、残金が不足してしまう場合に蓄積動作を停止することで、債金不足によって課金できなくなるケースを防止するファクシミリ装置がある（たとえば、特許文献１参照。）。
【先行技術文献】
【特許文献】
【０００４】
【特許文献１】特開２０００−１０７８６５号公報
【発明の概要】
【発明が解決しようとする課題】
【０００５】
印刷システムとして、端末装置から登録依頼された印刷データを受信してサーバに記憶しておき、印刷装置からの印刷要求（取り出し要求）に応じて該印刷データをサーバから印刷装置に送信して印刷する、所謂、プルプリント方式のものがある。従来、かかるプルプリントシステムでの課金は、印刷の実行時に行われていた。
【０００６】
このため、残金不足の状態でも登録依頼を完了させることができ、いざ印刷装置で印刷させようとすると、残金不足で印刷ができないという事態が発生していた。
【０００７】
また、プルプリントでは登録依頼を行う際に既にこの印刷を行うことが確実に分かっている場合や、登録依頼後に印刷設定を変更する可能性のある場合など、様々な印刷事情が想定されるので、これらに対応した適切な登録依頼方法のサポートが望まれていた。
【０００８】
本発明は、上記の問題を解決しようとするものであり、課金可能を確認した上でサーバに印刷データが登録される登録モードを備えたプルプリントシステムを提供することを目的としている。また、本発明の第２の目的は、複数の登録モードをユーザに提供することにある。
【課題を解決するための手段】
【０００９】
かかる目的を達成するための本発明の要旨とするところは、次の各項の発明に存する。
【００１０】
［１］端末装置から登録依頼された印刷データを受信して記憶し、該印刷データに係る印刷要求を受けた場合に前記印刷データを印刷装置に送信するプルプリントサーバと、
印刷に係る課金を管理する課金サーバと、
を有し、
端末装置から第１登録モードで登録依頼を受けた場合は、該登録依頼を受けた印刷データに係る印刷に対する課金が可能か否かを前記課金サーバで判断し、課金可能な場合は前記印刷データを前記プルプリントサーバに登録すると共に該登録時に前記課金を行い、
端末装置から第２登録モードで登録依頼を受けた場合は、該登録依頼を受けた印刷データに係る印刷に対する課金が可能か否かを前記課金サーバで判断し、課金可能な場合は前記印刷データを前記プルプリントサーバに登録すると共に該登録時に前記課金を行わない
ことを特徴とするプルプリントシステム。
【００１１】
上記発明では、プルプリントシステムは、登録モードとして、課金可能か否かを判断し、課金可能な場合は印刷データをプルプリントサーバに登録すると共に該登録時に課金する第１登録モードと、課金可能か否かを判断し、課金可能な場合は印刷データをプルプリントサーバに登録すると共に該登録時に課金を行わない第２登録モードとを提供する。ユーザは、これらの登録モードを適宜選択して印刷依頼を行うことができる。いずれのモードでも、登録依頼時に課金可能であることを確認した上で印刷データがプルプリントサーバに登録されるので、登録依頼時に既に残金不足となっているにもかかわらず、印刷データがサーバに登録されることが防止される。
【００１２】
［２］前記第２登録モードで登録された印刷データに係る印刷要求を受けたとき、該印刷要求に係る印刷に対する課金が可能か否かを前記課金サーバで判断し、課金可能な場合は前記印刷データを印刷装置に送信すると共に前記課金を行う
ことを特徴とする［１］に記載のプルプリントシステム。
【００１３】
上記発明では、第２登録モードで登録された印刷データについては、プルプリントを実行する際に課金される。
【００１４】
［３］前記第２登録モードで登録された印刷データに係る印刷設定の変更指示を受け付ける
ことを特徴とする［１］または［２］に記載のプルプリントシステム。
【００１５】
上記発明では、第２登録モードでの登録は未課金なので、印刷設定の変更に伴って課金額が変化しても問題ないため、印刷設定の変更を受け付ける。なお、印刷設定の変更時に再度、課金判断を行い、残額不足の場合に印刷設定の変更を拒否したり、その旨をユーザに通知したりする構成にするとよい。
【００１６】
［４］前記第２登録モードで登録された印刷データに対して前記第１登録モードへの変更指示を受けたとき、前記印刷データに係る印刷に対する課金が可能か否かを前記課金サーバで判断し、課金可能な場合は前記課金を行うと共に前記印刷の実行時には課金しない
ことを特徴とする［１］乃至［３］のいずれか一項に記載のプルプリントシステム。
【００１７】
上記発明では、第２登録モードで登録した印刷データに係る印刷を第１登録モードでの登録状態に変更し、課金済みにすることができる。
【００１８】
［５］前記第１登録モードまたは前記第２登録モードで受けた登録依頼に関する前記課金サーバでの判断結果が課金不可の場合は、前記登録依頼に係る印刷データを前記プルプリントサーバに登録しないと共に、登録不可となったことを登録依頼元の端末装置に通知する
ことを特徴とする［１］乃至［４］のいずれか一項に記載のプルプリントシステム。
【００１９】
上記発明では、課金不可の場合には、印刷データはプルプリントサーバ１０に登録されず、その旨がユーザに通知される。
【発明の効果】
【００２０】
本発明のプルプリントシステムによれば、少なくとも登録時に課金可能であることを確認した上で印刷データをプルプリントサーバへ登録することができる。これにより、いざ印刷装置から印刷させようとすると、残金不足で印刷ができないという事態の発生を低減することができる。また、登録時に課金する第１登録モードと登録時には課金しない第２登録モードとを備えているので、確実な印刷実行を望む、あるいは後に印刷条件の変更が想定されるがとりあえず予約しておきたい、などといったユーザの印刷事情に柔軟に対応することができる。
【図面の簡単な説明】
【００２１】
【図１】本発明の実施の形態に係るプルプリントシステムのシステム構成例を示す説明図である。
【図２】本発明の実施の形態に係るプルプリントシステムの構成を示すブロック図である。
【図３】本予約モードで登録依頼を行って印刷する場合の各装置の動きを示す流れ図である。
【図４】仮予約モードで登録依頼を行って印刷する場合の手順を示す説明図である。
【図５】仮予約モードで登録依頼を行って印刷する場合の各装置の動きを示す流れ図である。
【図６】通常モードで登録依頼を行って印刷する場合の手順を示す説明図である。
【図７】通常モードで登録依頼を行って印刷する場合の各装置の動きを示す流れ図である。
【図８】仮予約モードで登録した印刷データに係る印刷設定を変更する場合の各装置の動きを示す流れ図である。
【図９】仮予約モードで登録した印刷データに係る印刷設定を変更する場合の各装置の動きを示す流れ図である。
【発明を実施するための形態】
【００２２】
以下、図面に基づき本発明の実施の形態を説明する。
【００２３】
図１は、本発明の実施の形態に係るプルプリントシステム５のシステム構成例を示している。プルプリントシステム５は、プルプリントサーバ１０と課金サーバ２０とを有している。またプルプリントシステム５には、印刷依頼元であるユーザの端末装置３０と印刷装置４０がネットワークなどの通信路を通じて接続される。
【００２４】
本実施の形態に係るプルプリントシステム５では、端末装置３０から印刷依頼（登録依頼）された印刷データをプルプリントサーバ１０で受信して記憶しておき、印刷を実行する際に印刷装置４０がプルプリントサーバ１０からこの印刷データを取り寄せて印刷する、所謂、プルプリントが行われる。詳細には、プルプリントサーバ１０は、端末装置３０から登録依頼された印刷データを受信して記憶すると共に、後にその印刷データに関する印刷要求(取り出し要求）を印刷装置４０から受信すると該印刷データをその印刷装置に送信する。印刷装置４０はプルプリントサーバ１０から送信されてきた印刷データに基づいて印刷を実行する。
【００２５】
またプルプリントシステム５は、ユーザ別もしくはグループ別に印刷料金(使用量)を管理し、上限を超える場合はそのユーザもしくはグループから依頼された印刷を制限する課金管理機能を備えている。課金管理には、グループ別、部門別、さらに機能別など各種の管理形態があるが、本実施の形態では、以後、ユーザ別に管理するものとして説明を行う。また、ここでは、課金管理として金額（印刷料金）を管理することに代えて、印刷枚数を管理する。すなわち、管理者から、所定の期間（たとえば、１カ月）毎に、その期間で使用可能な印刷枚数の上限値が各ユーザに割り当てられ、各ユーザはその上限値内で印刷が許可されるようになっている。
【００２６】
図２は、プルプリントシステム５の各装置の構成を示すブロック図である。印刷装置４０は、原稿を読み取って対応する画像を用紙上に印刷して出力するコピー機能や、スキャナ機能、プリンタ機能、ファクシミリ機能などを備えた複合機などとして構成されている。印刷装置４０は、システム制御部４１と、ＲＯＭ（Read Only Memory）４２と、ＨＤＤ（Hard Disk Drive）４３と、不揮発メモリ４４と、ＤＲＡＭ（Dynamic Random Access Memory）４５と、スキャナ部４６と、プリンタ部４７と、ＬＣＤ（Liquid Crystal Display）表示部４８と、入力部４９と、通信Ｉ／Ｆ（Interface）５０とを備えて構成される。
【００２７】
システム制御部４１は、ＣＰＵ（Central Processing Unit）を主要部として構成されており、印刷装置４０の動作を制御する動作制御機能、各種の演算を行う演算処理機能、ＬＣＤ表示部４８の表示を制御する表示制御機能、拡大・縮小などの各種画像処理を行う画像処理機能、通信Ｉ／Ｆ５０を通じてプルプリントサーバ１０と通信し、印刷要求を送信したり、プルプリントサーバ１０から印刷データを受信したりする機能などを備えている。
【００２８】
ＲＯＭ４２は、システム制御部４１が実行する各種の制御プログラムや固定データを記憶した読み出し専用の記憶素子である。ＨＤＤ４３は、プルプリントサーバ１０から受信した印刷データやスキャナ部４６で読み取った画像データなどの保存に使用される。不揮発メモリ４４は、当該印刷装置４０を特定するための識別情報である装置ＩＤや当該印刷装置４０のＩＰ（Internet Protocol）アドレス、各種のソフトウェアパラメータなどを格納する機能を果たす。ＤＲＡＭ４５はシステム制御部４１がプログラムを実行する際に各種のデータを一時的に格納するワークメモリや、スキャナ部４６で読み取って得た画像データを一時的に格納する画像メモリとして使用される。
【００２９】
スキャナ部４６は、原稿を光学的に読み取って画像データを取得する機能を果たす。スキャナ部４６は、たとえば、原稿に光を照射する光源と、その反射光を受けて原稿を幅方向に１ライン分読み取るラインイメージセンサと、ライン単位の読取位置を原稿の長さ方向に順次移動させる移動手段と、原稿からの反射光をラインイメージセンサに導いて結像させるレンズやミラーなどからなる光学経路、ラインイメージセンサの出力するアナログ画像信号をデジタルの画像データに変換する変換部などを備えて構成される。
【００３０】
プリンタ部４７は、画像データに応じた画像を記録紙に印刷する機能を果たす。ここでは、記録紙の搬送装置と、感光体ドラムと、帯電装置と、レーザーユニットと、現像装置と、転写分離装置と、クリーニング装置と、定着装置とを有し、電子写真プロセスによって画像形成を行う、所謂、レーザープリンタとして構成されている。他の方式のプリンタであっても構わない。
【００３１】
ＬＣＤ表示部４８と入力部４９は、印刷装置４０の表示操作パネルおよび入力キーを構成している。ＬＣＤ表示部４８は、各種の操作画面や設定画面、案内画面、警告を表示する機能を果たし、液晶ディスプレイ（ＬＣＤ…Liquid Crystal Display）などで構成される。入力部４９は、ＬＣＤ表示部４８の有する液晶ディスプレイの画面上に設けられて押下された座標位置を検出するタッチパネルやテンキー、スタートボタンなどの各種操作スイッチで構成され、ユーザから各種の操作を受け付ける機能を果たす。
【００３２】
通信Ｉ／Ｆ５０は、ネットワークなど通信路を介して接続されたプルプリントサーバ１０などとの間の通信やデータ転送を制御する機能を果たす。
【００３３】
プルプリントサーバ１０は、サーバ機能を果たすコンピュータ装置であり、制御システム１１と、プリントデータ記憶部１２と、通信Ｉ／Ｆ１３とを備えて構成される。
【００３４】
制御システム１１は、ＣＰＵを主要部として構成されている。制御システム１１は、プルプリントサーバ１０の動作を統括制御する機能を果たす。プリントデータ記憶部１２は、ハードディスク装置などで構成される大容量不揮発の記憶装置であり、端末装置３０から登録依頼された印刷データが記憶される。また、記憶している各印刷データに対応つけて、その印刷データの登録モードやその印刷データに係る印刷に関して課金済みか否かを示すステータス情報、その印刷データを登録したユーザのユーザＩＤなどが記憶される。
【００３５】
通信Ｉ／Ｆ１３は、ネットワークなど通信路を介して接続された端末装置３０、印刷装置４０、および課金サーバ２０などとの間の通信やデータ転送を制御する機能を果たす。
【００３６】
課金サーバ２０は、サーバ機能を果たすコンピュータ装置であり、制御システム２１と、課金ＤＢ（データベース）２２と、通信Ｉ／Ｆ２４とを備えて構成される。
【００３７】
制御システム２１は、ＣＰＵを主要部として構成されている。制御システム２１は、課金サーバ２０の動作を統括制御する機能を果たす。
【００３８】
課金ＤＢ２２は、ユーザ別にその使用量（カウント値）を記憶するユーザ別使用量カウンタ２２ａと、ユーザ別に使用量（印刷枚数）の上限値を記憶するユーザ別上限値保持部２２ｂとしての機能を果たす。課金ＤＢ２２は、たとえば、図１の課金管理テーブル２５のようなデータ構造にされる。課金管理テーブル２５には、ユーザ毎に、そのユーザのユーザＩＤと上限値とカウント値とが対応付けて記憶される。課金管理テーブル２５へのユーザＩＤの登録および各ユーザＩＤに対応する上限値の登録は課金サーバ２０が有する操作部を通じて受ける、もしくは通信を介して管理者などの端末装置から受けるようになっている。
【００３９】
端末装置３０は、汎用のＰＣ（Personal Computer）などで構成されており、ＯＳ（Operating System）上で動作するアプリケーション・プログラムによって文書や画像などを作成する機能、これらの文書や画像を印刷する際にその印刷に係る印刷データ（印刷設定を含む）をネットワークなどの通信路を介してプルプリントサーバ１０へ送信して登録依頼を行う機能などを有している。
【００４０】
端末装置３０は、表示部３２と、入力部３３と、通信Ｉ／Ｆ３４などを備えて構成され、プリンタドライバ３１のソフトウェアがインストールされて実行される。プリンタドライバ３１は、ユーザから印刷指示を受ける際に、登録モードの選択操作を受ける機能、選択された登録モードによって印刷データの登録依頼をプルプリントサーバ１０に対して送信する機能、プルプリントサーバ１０から受信した応答に基づいてプルプリントサーバ１０での処理結果を表示する機能などを果たす。
【００４１】
表示部３２は液晶ディスプレイなどで構成されており、ＯＳやアプリケーション・プログラムの操作や設定などを行うための表示画面、および、各種の画像や映像などを表示する機能を果たす。入力部３３はキーボードやマウスなどで構成されており、ユーザから操作や入力を受け付ける機能を果たす。通信Ｉ／Ｆ３４は、ネットワークなどの通信路を介して接続されたプルプリントサーバ１０などとの間で行う通信やデータ転送を制御する機能を果たす。
【００４２】
次に、プルプリントシステム５の動作を説明する。
【００４３】
プルプリントシステム５は、端末装置３０からプルプリントサーバ１０へ印刷データの登録依頼（印刷依頼）を行う方法（登録モード）として、本予約モード（第１登録モード）と、仮予約モード（第２登録モード）と、通常モードを提供する。以下それぞれの登録モードで登録依頼を行う場合の動作について説明する。登録モードの選択操作は、端末装置３０のプリンタドライバ３１が表示部３２に表示する印刷設定画面においてユーザから受け付けるようになっている。
【００４４】
＜本予約モード＞
本予約モードは、登録依頼時に、その登録依頼された印刷データに係る印刷に対する課金が可能か否かを課金サーバ２０で判断し、課金可能な場合は該印刷データをプルプリントサーバ１０のプリントデータ記憶部１２に記憶して登録すると共に該登録時にこの印刷データの印刷に係る課金を実行する登録モードである。
【００４５】
図１は本予約モードで登録依頼を行って印刷する場合の手順を示し、図３は本予約モードで登録依頼を行って印刷する場合の各装置の動きを示す流れ図である。端末装置３０の使用に際してはログイン時にユーザ認証が行われ、使用中のユーザが特定される。端末装置３０のプリンタドライバ３１は、表示部３２に表示する印刷設定画面において、印刷対象の印刷データの選択、本予約モードの選択を受け、さらに印刷指示を受けると（図３；ステップＳ１０１）と、プルプリントサーバ１０に対してその印刷データの登録依頼を本予約モードで行う。詳細には、本予約モードでの登録依頼と印刷データとを関連付けてプルプリントサーバ１０に送信する（図３；ステップＳ１０２、図１；Ｐ１）。登録依頼には、使用中の認証ユーザのユーザＩＤが含まれる。
【００４６】
プルプリントサーバ１０は端末装置３０から本予約モードによる登録依頼と印刷データとを受信すると（図３；ステップＳ２０１）、課金サーバ２０に対して、この印刷データを印刷するための課金依頼を行う。詳細には、該印刷データを印刷した場合の印刷枚数を計算し、この印刷枚数と受信した登録依頼に含まれていたユーザＩＤとを含むカウント情報更新依頼を課金サーバ２０に送信する（図３；ステップＳ２０２、図１；Ｐ２)。
【００４７】
課金サーバ２０は、カウント情報更新依頼を受信すると（図３；ステップＳ３０１）、該カウント情報更新依頼に含まれているユーザＩＤに対応付けて課金ＤＢ２２に記憶されているカウント値に、該カウント情報更新依頼に含まれている印刷枚数を加算した値が、そのユーザＩＤに対応付けて課金ＤＢ２２に記憶されている上限値を超えるか否かを調べ、加算後の値が上限値を超える場合は印刷不可と判断し、超えない場合は印刷可能と判断する課金判断を行う（図３；ステップＳ３０２）。課金判断の結果が印刷可能の場合は（図３；ステップＳ３０２；Ｙｅｓ）、印刷可であることをプルプリントサーバ１０に通知する（図１；Ｐ３）と共に、該ユーザＩＤに対応するカウント値を、加算後の値に更新する(図３；ステップＳ３０３、図１；Ｐ４)。たとえば、図１に示す課金管理テーブル２５の状態において、ユーザＩＤ＝Ｕ１のユーザが１００枚の印刷を本予約モードで登録依頼した場合は、Ｕ１に対応するカウント値が２００から３００に更新される。
【００４８】
課金判断の結果が印刷不可の場合は（図３；ステップＳ３０２；Ｎｏ）、印刷不可通知をプルプリントサーバ１０に送信する（図３；ステップＳ３０４）。印刷不可通知には、上限値とカウント値、あるいは上限値からカウント値を減算した残カウント値などの残カウント情報が含まれる。
【００４９】
プルプリントサーバ１０は、課金サーバ２０から印刷可の通知を受けた場合は（図３；ステップＳ２０３；Ｙｅｓ）、ステップＳ２０１で受信した印刷データをプリントデータ記憶部１２に記憶して登録する。このとき、印刷データに対応付けてユーザＩＤと本予約モードによる登録であることを示すステータス情報が記憶される。また印刷可を示す登録完了通知を端末装置３０に送信する（図３；ステップＳ２０４、図１；Ｐ５)。課金サーバ２０から印刷不可通知を受けた場合は（図３；ステップＳ２０３；Ｎｏ）、端末装置３０へ印刷不可通知（残カウント情報を含む）を送信する（図３；ステップＳ２０５）。
【００５０】
端末装置３０のプリンタドライバ３１は、登録依頼に対してプルプリントサーバ１０から登録完了通知もしくは印刷不可通知を受信すると、その通知内容を表示部３２に表示する（図３；ステップＳ１０３）。ユーザは、印刷不可を示す表示が行われた場合には、表示された残カウント情報などを参考に印刷設定を変更して印刷データの登録依頼を再度行うなどの適宜の対応を取ればよい。
【００５１】
印刷可を示す表示が行われた場合、ユーザは、その後の任意のタイミングで印刷装置４０へ移動し(図３；Ｍ)、ユーザ認証を行った上で、印刷データを指定した印刷の実行指示を印刷装置４０の入力部４９から入力する。印刷装置４０はユーザから印刷の実行指示を受けると、指定された印刷データに係る印刷要求（プルプリント実行通知）をプルプリントサーバ１０へ送信する（図３；ステップＳ４０１、図１；Ｐ６）。
【００５２】
印刷要求(プルプリント実行通知)を受信したプルプリントサーバ１０は該当する印刷データ（プリントデータ）を該印刷要求送信元の印刷装置４０へ送信する（図３；ステップＳ２０６、図１；Ｐ７）。印刷データを受信した印刷装置４０は、この印刷データに基づいて印刷を実行する（図３；ステップＳ４０２）。
【００５３】
このように、本予約モードで印刷の登録依頼を行う場合には、課金判断にて印刷の可否を判断し、印刷可の場合には印刷データをプルプリントサーバ１０に登録すると共に該登録時に課金（カウント値の更新）が行われるので、印刷装置４０から印刷要求を行った際に、カウント値（残額）不足によって印刷が拒否されないことが保障され、確実な印刷の実行が約束される。
【００５４】
＜仮予約モード＞
仮予約モードは、登録依頼時に、その登録依頼された印刷データに係る印刷に対する課金が可能か否かを課金サーバ２０で判断し、課金可能な場合は該印刷データをプルプリントサーバ１０のプリントデータ記憶部１２に記憶して登録するが該登録時には課金を行わない登録モードである。
【００５５】
図４は仮予約モードで登録依頼を行って印刷する場合の手順を示し、図５は仮予約モードで登録依頼を行って印刷する場合の各装置の動きを示す流れ図である。端末装置３０の使用に際してはログイン時にユーザ認証が行われ、使用中のユーザが特定される。端末装置３０のプリンタドライバ３１は、表示部３２に表示する印刷設定画面において、印刷対象の印刷データの選択、仮予約モードの選択を受け、さらに印刷指示を受けると（図５；ステップＳ１２１）と、プルプリントサーバ１０に対してその印刷データの登録依頼を仮予約モードで行う。詳細には、仮予約モードでの登録依頼と印刷データとを関連付けてプルプリントサーバ１０に送信する（図５；ステップＳ１２２、図４；Ｐ１）。登録依頼には、使用中の認証ユーザのユーザＩＤが含まれる。
【００５６】
プルプリントサーバ１０は端末装置３０から仮予約モードによる登録依頼と印刷データとを受信すると（図５；ステップＳ２２１）、課金サーバ２０に対して、この印刷データに係わる印刷が可能か否かを課金サーバ２０に問い合わせる。詳細には、該印刷データを印刷した場合の印刷枚数（課金額に相当）を計算し、この印刷枚数と受信した登録依頼に含まれていたユーザＩＤとを含むカウント情報問い合わせを課金サーバ２０に送信する（図５；ステップＳ２２２、図４；Ｐ２)。
【００５７】
課金サーバ２０は、カウント情報問い合わせを受信すると（図５；ステップＳ３２１）、該カウント情報問い合わせに含まれているユーザＩＤに対応付けて課金ＤＢ２２に記憶されているカウント値に、該カウント情報問い合わせに含まれている印刷枚数を加算した値が、そのユーザＩＤに対応付けて課金ＤＢ２２に記憶されている上限値を超えるか否かを調べ、加算後の値が上限値を超える場合は印刷不可と判断し、超えない場合は印刷可能と判断する課金判断を行う（図５；ステップＳ３２２）。課金判断の結果が印刷可能の場合は（図５；ステップＳ３２２；Ｙｅｓ）、印刷可であることをプルプリントサーバ１０に通知する（図５；ステップＳ３２３、図４；Ｐ３）。このとき、そのユーザＩＤに対応するカウント値は更新しない。
【００５８】
課金判断の結果が印刷不可の場合は（図５；ステップＳ３２２；Ｎｏ）、印刷不可通知をプルプリントサーバ１０に送信する（図５；ステップＳ３２４）。印刷不可通知には、上限値とカウント値、あるいは上限値からカウント値を減算した残カウント値などの残カウント情報が含まれる。
【００５９】
プルプリントサーバ１０は、課金サーバ２０から印刷可の通知を受けた場合は（図５；ステップＳ２２３；Ｙｅｓ）、ステップＳ２２１で受信した印刷データをプリントデータ記憶部１２に記憶して登録する。このとき、印刷データに対応付けてユーザＩＤと仮予約モードによる登録であることを示すステータス情報が記憶される。また印刷可を示す登録完了通知を端末装置３０に送信する（図５；ステップＳ２２４、図４；Ｐ４)。課金サーバ２０から印刷不可通知を受けた場合は（図５；ステップＳ２２３；Ｎｏ）、端末装置３０へ印刷不可通知（残カウント情報を含む）を送信する（図５；ステップＳ２２５）。
【００６０】
端末装置３０のプリンタドライバ３１は、登録依頼に対してプルプリントサーバ１０から登録完了通知もしくは印刷不可通知を受信すると、その通知内容を表示部３２に表示する。この際、印刷不可通知が受信されていた場合は（ステップＳ１２３；Ｎｏ）、予約内容を修正するか否かをユーザに問い合わせる(ステップＳ１２４)。ユーザは、たとえば、表示された残カウント情報などを参考に印刷設定を変更して再予約するか、印刷依頼を中止するかなどの判断を行う。
【００６１】
予約内容の修正を受けた場合は（図５；ステップＳ１２４；Ｙｅｓ）、ステップＳ１２１に戻る。予約内容を修正しない（印刷依頼中止の）選択を受けた場合は（ステップＳ１２４；Ｎｏ）処理を終了する。
【００６２】
プルプリントサーバ１０から印刷可を示す登録完了通知が受信されていた場合は（ステップＳ１２３；Ｙｅｓ）、ユーザは、その後の任意のタイミングで印刷装置４０へ移動し（図５；Ｍ）、ユーザ認証を行った上で、印刷データを指定した印刷の実行指示を印刷装置４０の入力部４９から入力する。印刷装置４０はユーザから印刷の実行指示を受けると、指定された印刷データに係る印刷要求（プルプリント実行通知）をプルプリントサーバ１０へ送信する（図５；ステップＳ４２１、図４；Ｐ５）。
【００６３】
印刷要求(プルプリント実行通知)を受信したプルプリントサーバ１０は、課金サーバ２０に対して、印刷要求で指定された印刷データを印刷するための課金依頼を行う。詳細には、該印刷データを印刷した場合の印刷枚数（課金額に相当）を計算し、この印刷枚数と該印刷データに対応付けされているユーザＩＤとを含むカウント情報更新依頼を課金サーバ２０に送信する（図５；ステップＳ２２６、図４；Ｐ６)。
【００６４】
課金サーバ２０は、カウント情報更新依頼を受信すると（図５；ステップＳ３２５）、該カウント情報更新依頼に含まれているユーザＩＤに対応付けて課金ＤＢ２２に記憶されているカウント値に、該カウント情報更新依頼に含まれている印刷枚数を加算した値が、そのユーザＩＤに対応付けて課金ＤＢ２２に記憶されている上限値を超えるか否かを調べ、加算後の値が上限値を超える場合は印刷不可と判断し、超えない場合は印刷可能と判断する課金判断を行う（図５；ステップＳ３２６）。課金判断の結果が印刷可能の場合は（図５；ステップＳ３２６；Ｙｅｓ）、印刷可であることをプルプリントサーバ１０に通知する（図４；Ｐ７）と共に、そのユーザＩＤに対応するカウント値を、加算後の値に更新する(図５；ステップＳ３２７)。
【００６５】
課金判断の結果が印刷不可の場合は（図５；ステップＳ３２６；Ｎｏ）、印刷不可通知をプルプリントサーバ１０に送信する（図５；ステップＳ３２８）。印刷不可通知には残カウント情報が含まれる。
【００６６】
プルプリントサーバ１０は、課金サーバ２０から印刷可の通知を受けた場合は（図５；ステップＳ２２７；Ｙｅｓ）、印刷要求（プリント実行通知）で指定されている印刷データをプリントデータ記憶部１２から読み出し、これを印刷装置４０へ送信する（図５ステップＳ２２８、図４；Ｐ８）。課金サーバ２０から印刷不可通知を受けた場合は（図５；ステップＳ２２７；Ｎｏ）、印刷不可通知を印刷装置４０へ送信する(図５；ステップＳ２２９)。印刷不可通知には残カウント情報が含まれる。
【００６７】
印刷装置４０は、プルプリントサーバ１０から印刷データを受信した場合は（ステップＳ４２２；Ｙｅｓ）、この印刷データに基づいて印刷を実行する（図５；ステップＳ４２３）。プルプリントサーバ１０から印刷不可通知を受信した場合は（ステップＳ４２２；Ｎｏ）、カウント値不足によって印刷できない旨のメッセージや残カウント情報などを含むエラー表示を行って（ステップＳ４２４）処理を終了する。
【００６８】
このように、仮予約モードで印刷の登録依頼を行う場合には、課金判断にて印刷の可否を判断し、印刷可の場合には印刷データをプルプリントサーバ１０に登録するので、少なくとも登録依頼の時点では課金可能であることを確認した上で印刷データをプルプリントサーバ１０へ登録（アップロード）することができる。また登録時点では課金されないので、後述するように、印刷内容の変更などに柔軟に対応することができる。
【００６９】
＜通常モード＞
通常モードは、登録依頼時に、その登録依頼された印刷データに係る印刷に対する課金が可能か否かを判断することなく、印刷データをプルプリントサーバ１０のプリントデータ記憶部１２に記憶して登録する。そして、印刷実行時に課金判断が行われ、印刷可と判断された場合は課金されて印刷が実行され、印刷不可と判断された場合は印刷が拒否される登録モードである。
【００７０】
図６は通常モードで登録依頼を行って印刷する場合の手順を示し、図７は通常モードで登録依頼を行って印刷する場合の各装置の動きを示す流れ図である。端末装置３０の使用に際してはログイン時にユーザ認証が行われ、使用中のユーザが特定される。端末装置３０のプリンタドライバ３１は、表示部３２に表示する印刷設定画面において、印刷対象の印刷データの選択、通常モードの選択を受け、さらに印刷指示を受けると（図７；ステップＳ１４１）と、プルプリントサーバ１０へその印刷データの登録依頼を通常モードで行う。詳細には、通常モードでの登録依頼と印刷データとを関連付けてプルプリントサーバ１０に送信する（図７；ステップＳ１４２、図６；Ｐ１）。登録依頼には、使用中の認証ユーザのユーザＩＤが含まれる。
【００７１】
プルプリントサーバ１０は端末装置３０から通常モードでの登録依頼と印刷データとを受信すると（図７；ステップＳ２４１）、受信した印刷データをプリントデータ記憶部１２に記憶して登録する。このとき、印刷データに対応付けてユーザＩＤと通常モードによる登録であることを示すステータス情報が記憶される。また登録完了通知を端末装置３０に送信する（図７；ステップＳ２４２、図６；Ｐ２)。
【００７２】
端末装置３０はプルプリントサーバ１０から登録完了通知を受信しその内容を表示する(図７；ステップＳ１４３)。ユーザは、その後の任意のタイミングで印刷装置４０へ移動し（図７；Ｍ）、ユーザ認証を行った上で、印刷データを指定した印刷の実行指示を印刷装置４０の入力部４９から入力する。印刷装置４０はユーザから印刷の実行指示を受けると、指定された印刷データに係る印刷要求（プルプリント実行通知）をプルプリントサーバ１０へ送信する（図７；ステップＳ４４１、図６；Ｐ３）。
【００７３】
印刷要求(プルプリント実行通知)を受信したプルプリントサーバ１０は、課金サーバ２０に対して、印刷要求で指定された印刷データを印刷するための課金依頼を行う。詳細には、該印刷データを印刷した場合の印刷枚数（課金額に相当）を計算し、この印刷枚数と該印刷データに対応付けされているユーザＩＤとを含むカウント情報更新依頼を課金サーバ２０に送信する（図７；ステップＳ２４３、図６；Ｐ４)。
【００７４】
課金サーバ２０は、カウント情報更新依頼を受信すると（図７；ステップＳ３４１）、該カウント情報更新依頼に含まれているユーザＩＤに対応付けて課金ＤＢ２２に記憶されているカウント値に、該カウント情報更新依頼に含まれている印刷枚数を加算した値が、そのユーザＩＤに対応付けて課金ＤＢ２２に記憶されている上限値を超えるか否かを調べ、加算後の値が上限値を超える場合は印刷不可と判断し、超えない場合は印刷可能と判断する課金判断を行う（図７；ステップＳ３４２）。課金判断の結果が印刷可能の場合は（図７；ステップＳ３４２；Ｙｅｓ）、印刷可であることをプルプリントサーバ１０に通知する（図６；Ｐ５）と共に、そのユーザＩＤに対応するカウント値を、加算後の値に更新する(図７；ステップＳ３４３)。
【００７５】
課金判断の結果が印刷不可の場合は（図７；ステップＳ３４２；Ｎｏ）、印刷不可通知をプルプリントサーバ１０に送信する（図７；ステップＳ３４４）。印刷不可通知には残カウント情報が含まれる。
【００７６】
プルプリントサーバ１０は、課金サーバ２０から印刷可の通知を受けた場合は（図７；ステップＳ２４４；Ｙｅｓ）、印刷要求（プリント実行通知）で指定されている印刷データをプリントデータ記憶部１２から読み出し、これを印刷装置４０へ送信する（図７；ステップＳ２４５、図６；Ｐ６）。課金サーバ２０から印刷不可通知を受けた場合は（図７；ステップＳ２４４；Ｎｏ）、印刷不可通知を印刷装置４０へ送信する(図７；ステップＳ２４６)。印刷不可通知には残カウント情報が含まれる。
【００７７】
印刷装置４０は、プルプリントサーバ１０から印刷データを受信した場合は（ステップＳ４４２；Ｙｅｓ）、この印刷データに基づいて印刷を実行する（図７；ステップＳ４４３）。印刷不可通知をプルプリントサーバ１０から受信した場合は（ステップＳ４４２；Ｎｏ）、カウント値不足によって印刷できない旨のメッセージや残カウント情報などを含むエラー表示を行って（ステップＳ４４４）処理を終了する。
【００７８】
このように、通常モードで印刷の登録依頼を行う場合には、登録依頼時に課金判断されずに印刷データがプルプリントサーバ１０に登録され、印刷の実行時に課金判断が行われる。残額不足を考えずに、とにかく印刷データをプルプリントサーバ１０にアップロードしておきたい場合に有効である。
【００７９】
次に、仮予約モードでプルプリントサーバ１０に登録した印刷データに係る印刷設定を変更する場合の動作について説明する。仮予約モードでは未課金のまま印刷データが登録されるので、登録内容の変更（登録削除を含む）を柔軟に行うことができる。
【００８０】
図８は、仮予約モードで登録した印刷データに係る印刷設定を変更する場合の各装置の動きを示す流れ図である。端末装置３０の使用に際してログイン時にユーザ認証が行われ、使用中のユーザが特定される。端末装置３０のプリンタドライバ３１は、表示部３２に表示する印刷設定画面において、仮予約モードで登録されている印刷データに係る印刷設定の変更操作を受け付け、さらに印刷設定変更の実行指示を受けると、プルプリントサーバ１０へ印刷設定変更指示を送信する（図８；ステップＳ１６１）。印刷設定変更指示には、変更対象の印刷データを特定する情報と、変更する印刷設定の内容を示す情報などが含まれる。
【００８１】
たとえば、プルプリントサーバ１０から、認証ユーザのユーザＩＤに対応付けて登録されている印刷データのリストを取り寄せ、そのリストの中から変更対象の印刷データの指定操作をユーザから受け付ける。リストには印刷データ毎に識別番号、登録日時などが登録されており、端末装置３０は、リストから指定された識別番号を変更対象の印刷データを特定する情報としてプルプリントサーバ１０へ送信する。
【００８２】
プルプリントサーバ１０は印刷設定変更指示を受信すると（ステップＳ２６１）、変更後の印刷設定での印刷枚数（課金額に相当）を計算し、この印刷枚数と受信した印刷設定変更指示に含まれていたユーザＩＤとを含むカウント情報問い合わせを課金サーバ２０に送信する（ステップＳ２６２)。
【００８３】
たとえば、１枚の記録紙に１ページの画像を印刷する「１ＩＮ１」から１枚の記録紙に２ページ分の画像を縮小して印刷する「２ＩＮ１」に印刷設定を変更した場合には、再計算した印刷枚数は元の印刷枚数の２分の１になる。印刷設定には、このほか、カラー印刷とモノクロ印刷との間の変更などがある。たとえば、カラーとモノクロで別々の上限値、カウント値を管理する場合には、減算対象のカウント値を変更することになる。
【００８４】
課金サーバ２０は、カウント情報問い合わせを受信すると（ステップＳ３６１）、該カウント情報問い合わせに含まれているユーザＩＤに対応付けて課金ＤＢ２２に記憶されているカウント値に、該カウント情報問い合わせに含まれている印刷枚数を加算した値が、そのユーザＩＤに対応付けて課金ＤＢ２２に記憶されている上限値を超えるか否かを調べ、加算後の値が上限値を超える場合は印刷不可と判断し、超えない場合は印刷可能と判断する課金判断を行う（図７；ステップＳ３６２）。課金判断の結果が印刷可能の場合は（図７；ステップＳ３６２；Ｙｅｓ）、印刷可であることをプルプリントサーバ１０に通知する（ステップＳ３６３）。
【００８５】
課金判断の結果が印刷不可の場合は（ステップＳ３６２；Ｎｏ）、印刷不可通知をプルプリントサーバ１０に送信する（ステップＳ３６４）。印刷不可通知には、上限値とカウント値、あるいは上限値からカウント値を減算した残カウント値などの残カウント情報が含まれる。
【００８６】
プルプリントサーバ１０は、課金サーバ２０から印刷可の通知を受けた場合は（ステップＳ２６３；Ｙｅｓ）、ステップＳ２６１で受信した印刷設定変更指示で指定されている印刷データに係る印刷設定の登録内容を、該印刷設定変更指示に含まれる印刷設定となるように、プリントデータ記憶部１２の記憶を変更する。また変更完了を端末装置３０に通知する（ステップＳ２６４)。一方、課金サーバ２０から印刷不可通知を受けた場合は（ステップＳ２６３；Ｎｏ）、端末装置３０へ変更不可通知（残カウント情報を含む）を送信する（ステップＳ２６５）。
【００８７】
端末装置３０のプリンタドライバ３１は、印刷設定変更依頼に対してプルプリントサーバ１０から変更完了通知もしくは印刷不可通知を受信すると、その通知内容を表示部３２に表示する。この際、印刷不可通知が受信された場合は（ステップＳ１６２；Ｎｏ）、印刷設定の内容を修正して再変更するか否かをユーザに問い合わせ(ステップＳ１６３)、再変更の指示を受けた場合は（ステップＳ１６３；Ｙｅｓ）、ステップＳ１６１に戻る。再変更しない指示を受けた場合は（ステップＳ１６３；Ｎｏ）処理を終了する。
【００８８】
このように仮予約モードでは、登録時に課金（カウント値の更新）されていないので、登録後に、印刷設定の変更などを柔軟に受け付けることができる。
【００８９】
次に、仮予約モードでプルプリントサーバ１０に登録されている印刷データを、本予約モードによる登録状態に変更するモード変更動作について説明する。
【００９０】
図９は、仮予約モードで登録した印刷データの登録状態を本予約モードでの登録状態に変更する場合の各装置の動きを示す流れ図である。端末装置３０の使用に際してログイン時にユーザ認証が行われ、使用中のユーザが特定される。端末装置３０のプリンタドライバ３１は、表示部３２に表示する印刷設定画面において、仮予約モードで登録されている印刷データを本予約モードでの登録状態に変更する指示の操作を受け付け、さらに該変更の実行指示を受けると、プルプリントサーバ１０へ本予約変更指示を送信する（ステップＳ１８１）。本予約変更指示には、変更対象の印刷データを特定する情報と、変更する印刷設定の内容を示す情報などが含まれる。変更対象の印刷データの特定方法は印刷設定変更の場合と同様であり、その説明は省略する。
【００９１】
プルプリントサーバ１０は端末装置３０から本予約変更指示を受信すると（ステップＳ２８１）、課金サーバ２０に対して、この印刷データを印刷するための課金依頼を行う。詳細には、該印刷データを印刷した場合の印刷枚数（課金額に相当）を計算し、この印刷枚数と該印刷データに対応付けてプリントデータ記憶部１２に記憶されているユーザＩＤとを含むカウント情報更新依頼を課金サーバ２０に送信する（ステップＳ２８２)。
【００９２】
課金サーバ２０は、カウント情報更新依頼を受信すると（ステップＳ３８１）、該カウント情報更新依頼に含まれているユーザＩＤに対応付けて課金ＤＢ２２に記憶されているカウント値に、該カウント情報更新依頼に含まれている印刷枚数を加算した値が、そのユーザＩＤに対応付けて課金ＤＢ２２に記憶されている上限値を超えるか否かを調べ、加算後の値が上限値を超える場合は印刷不可と判断し、超えない場合は印刷可能と判断する課金判断を行う（ステップＳ３８２）。課金判断の結果が印刷可能の場合は（ステップＳ３８２；Ｙｅｓ）、印刷可であることをプルプリントサーバ１０に通知すると共に、そのユーザＩＤに対応するカウント値を、加算後の値に更新する(ステップＳ３８３)。
【００９３】
課金判断の結果が印刷不可の場合は（ステップＳ３８２；Ｎｏ）、印刷不可通知をプルプリントサーバ１０に送信する（ステップＳ３８４）。印刷不可通知には、上限値とカウント値、あるいは上限値からカウント値を減算した残カウント値などの残カウント情報が含まれる。
【００９４】
プルプリントサーバ１０は、課金サーバ２０から印刷可の通知を受けた場合は（ステップＳ２８３；Ｙｅｓ）、プリントデータ記憶部１２に記憶されている該当の印刷データのステータス情報を本予約に変更する。また印刷可を示す変更完了通知を端末装置３０に送信する（ステップＳ２８４)。課金サーバ２０から印刷不可通知を受けた場合は（ステップＳ２８３；Ｎｏ）、端末装置３０へ印刷不可通知（残カウント情報を含む）を送信する（ステップＳ２８５）。
【００９５】
端末装置３０のプリンタドライバ３１は、登録依頼に対してプルプリントサーバ１０から変更完了通知もしくは印刷不可通知を受信すると、その通知内容を表示部３２に表示して（ステップＳ１８２）処理を終了する。
【００９６】
このように、仮登録モードで登録した印刷データについては、その後、本予約に変更することができる。これにより、現在の印刷設定にて印刷することが確定した段階で仮予約から本予約に変更することができ、本予約への変更が完了すれば、カウント値不足によって印刷が拒否されないことが保障され、確実な印刷実行が約束される。
【００９７】
本プルプリントシステム５では、本予約モード、仮予約モード、通常モードと複数種類の登録モードを備えるので、ユーザは登録する印刷データに係る印刷事情に応じた登録モードを選択することができ、多様なユーザの印刷事情に対応することができる。
【００９８】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９９】
たとえば、実施の形態では、印刷枚数を基準に印刷の上限を管理したが、金額ベースで課金管理するように構成されてもよい。すなわち、１枚当たりの課金額をカラー、モノクロ、用紙サイズなどに応じた値とし、該１枚当たりの金額と印刷枚数とによって課金額を算出し、累計の課金額が上限値（上限金額）を超えるか否かによる課金判断を行うように構成されてもよい。
【０１００】
また、残カウント値不足で印刷不可とされた場合に、印刷設定の変更内容の推奨値をプルプリントサーバ１０が導出し、この推奨値に従って自動的に印刷設定を変更する、あるいはこの推奨値で変更するか否かの判断をユーザから受けるように構成されてもよい。たとえば、印刷不可と判断した場合に、片面から両面、１ＩＮ１から２ＩＮ１、カラーからモノクロなどの変更項目の中から、現在の印刷設定とカウント値（残額）の不足量とに応じて最適な変更を導出するように構成するとよい。
【０１０１】
課金管理（上限値管理）は、コピー機能、ファクシミリ機能、プリント機能などの機能別に行われてもよい。
【０１０２】
プルプリントサーバ１０と課金サーバ２０は物理的に１つのサーバとして構成されてもよい。
【符号の説明】
【０１０３】
５…プルプリントシステム
１０…プルプリントサーバ
１１…制御システム
１２…プリントデータ記憶部
１３…通信Ｉ／Ｆ
２０…課金サーバ
２１…制御システム
２２…課金ＤＢ
２２ａ…ユーザ別使用量カウンタ
２２ｂ…ユーザ別上限値保持部
２４…通信Ｉ／Ｆ
２５…課金管理テーブル
３０…端末装置
３１…プリンタドライバ
３２…表示部
３３…入力部
３４…通信Ｉ／Ｆ
４０…印刷装置
４１…システム制御部
４２…ＲＯＭ
４３…ＨＤＤ
４４…不揮発メモリ
４５…ＤＲＡＭ
４６…スキャナ部
４７…プリンタ部
４８…ＬＣＤ表示部
４９…入力部
５０…通信Ｉ／Ｆ
【図１】
2010218461.tif 000003
【図２】
2010218461.tif 000004
【図３】
2010218461.tif 000005
【図４】
2010218461.tif 000006
【図５】
2010218461.tif 000007
【図６】
2010218461.tif 000008
【図７】
2010218461.tif 000009
【図８】
2010218461.tif 000010
【図９】
2010218461.tif 000011